(57)【特許請求の範囲】
【請求項１】
給湯管を壁表面側で湯水混合栓に接続するための給湯中継管の固定装置であって、壁面側に向けて中継管本体に円形部材を連設する一方、壁面に固定される固定部材には、外周面に雄ねじ部が形成されて、円形部材を嵌入するための筒状部材を連設し、かつ、前記雄ねじ部に螺着される袋ナットを予め円形部材に保持させると共に、この袋ナットと筒状部材の端部との間に、金属製の縮径可能な割りリングを配置し、更に、筒状部材の端部と袋ナットの少なくとも一方に、袋ナットの締め込みによって割りリングを縮径させるテーパー面部を形成して成ることを特徴とする給湯中継管の固定装置。
【発明の詳細な説明】
【０００１】
【発明の属する技術分野】
本発明は、給湯管を壁表面側で湯水混合栓に接続するための給湯中継管の固定装置に関する。
【０００２】
【従来の技術】
湯水混合栓の設置に際しては、一般には、給水管と給湯管とを壁面に開口させて、それぞれに偏心管を介して湯水混合栓が接続されるが、給水だけの水栓設備を湯水の供給設備に変更する際に、給湯管を壁内に配設する形態をとると、大掛かりな配管工事が必要となる。
【０００３】
そこで、上記の給湯中継管を壁面に固定する一方、壁面で開口する既設の給水管に偏心管を接続して、この偏心管と給湯中継管とに湯水混合栓を接続する簡単な工事で、水栓設備を湯水の供給設備に変更できるようにしている。
【０００４】
この際、湯水混合栓の壁面からの出代は、偏心管の壁面からの出代によって左右されるが、この偏心管は、給水管の口径に合わせるように、その出代の寸法が異なる複数種がメーカー毎で用意されており、更に、その寸法がメーカー毎で区々であることから、これに対応できるように、給湯中継管の固定装置に位置調整手段を備えて、中継管本体の壁面からの出代を調整可能に構成することが必要である。
【０００５】
このための位置調整手段が、特許第２９２０３５６号公報によって提案されている。この提案の位置調整手段は、図８に示すように、中継管本体４１に円筒状突部４２を設けて、これの外周面に雄ねじ部４３を刻設する一方、壁面４４への筒状固定部材４５に雌ねじ部４６を刻設して、雌ねじ部４６への雄ねじ部４３のねじ込み距離の調整によって、壁表面から中継管本体４１までの距離を調整できるように構成し、かつ、両者４２，４５をビスａ止めしている。
【０００６】
【発明が解決しようとする課題】
かゝる構成の位置調整手段によれば、偏心管の出代の寸法に容易に対応できる点で好適であるが、湯水混合栓４７のセット手順として、先ずは、壁面４４に筒状の固定部材４５をビス４８止めし、この際、見栄えを良くするために、ビス４８を筒中心まわりにバランス良く左右均等に配置し、この固定部材４５の雌ねじ部４６に中継管本体４１の雄ねじ部４３をねじ込み、かつ、勘に頼って或いはスケールを用いて、中継管本体４１のねじ込み位置を調整し、この給湯中継管４９と偏心管とに湯水混合栓４７を接続する手順を踏むことになる。
【０００７】
ここで、壁面４４に対して湯水混合栓４７が正しく平行にセットされていると問題はないのであるが、勘に頼って或いはスケールを用いても、一回の作業で中継管本体４１のねじ込み位置を所定通りに設定することは至難であって、湯水混合栓４７が壁面４４に正しく平行にセットされるまでには、湯水混合栓４７の取り外しと、中継管本体４１のねじ込み位置の調整、更に、湯水混合栓４７の再度の接続と言った煩雑な作業を、幾度か繰り返し行わざるを得ない点で問題があった。
【０００８】
また致命的には、湯水混合栓４７が壁面４４に対して僅かでも不平行であると、見栄えが非常に悪いことは論を要しないが、上記構成の位置調整手段では、中継管本体４１のねじ込み調整量が、雄ねじ部４３のねじピッチの倍数に限定されることから、微調整が不能であって、見栄えの悪い仕上がりが余儀ないのであった。
【０００９】
或いは、湯水混合栓４７を壁面４４に正しく平行にセットする上で、壁面４４に対する固定部材４５のビス４８止めを最終的に行うことが考えられるのであるが、これでは、筒中心まわりでの止めビス４８の取り付け位置が定まらず、止めビス４８がアンバランスに配置されることから、見栄えが悪いものとなり、更にセット作業も煩雑化する点で問題があった。
【００１０】
本発明は、かゝる実情に鑑みて成されたものであって、その目的は、微調整を含めて湯水混合栓のセット作業を極めて容易に行える給湯中継管の固定装置を提供する点にある。
【００１１】
【課題を解決するための手段】
即ち、本発明による給湯中継管の固定装置は、壁面側に向けて中継管本体に円形部材を連設する一方、壁面に固定される固定部材には、外周面に雄ねじ部が形成されて、円形部材を嵌入するための筒状部材を連設し、かつ、前記雄ねじ部に螺着される袋ナットを予め円形部材に保持させると共に、この袋ナットと筒状部材の端部との間に、金属製の縮径可能な割りリングを配置し、更に、筒状部材の端部と袋ナットの少なくとも一方に、袋ナットの締め込みによって割りリングを縮径させるテーパー面部を形成して成る点に特徴がある。
【００１２】
上記の構成によれば、例えばビスによって固定部材を見栄えよく壁面に固定して、この固定部材の筒状部材に中継管本体の円形部材を差し込み、かつ、この中継管本体と偏心管とに湯水混合栓を接続して、湯水混合栓を壁面に正しく平行に位置調整した上で、袋ナットを締め込むことで、湯水混合栓のセット作業を完了するのであって、壁表面に対する中継管本体の取り付け位置が無段調整可能であることから、湯水混合栓を壁面に対して正しく平行にセットすることが極めて容易であり、かつ、セット作業も簡易に行うことができる。
【００１３】
【発明の実施の形態】
以下、本発明の実施の形態を図面に基づいて説明する。図１は湯水の供給設備を示し、現実には、それまでは給水だけであった水栓設備を湯水の供給設備に設備変更した状態を示している。
【００１４】
即ち、既設の水栓設備を取り外して、壁面１で開口する既設の給水管２に偏心管３を接続し、この偏心管３の横側部の壁面１に、固定装置４を介して給湯中継管５を壁表面側に取り付ける一方、この給湯中継管５に湯沸器などの給湯設備からの給湯管６を接続し、かつ、偏心管３と給湯中継管５とに湯水混合栓７の水導入口部８と湯導入口部９とを接続して、給水だけであった水栓設備を湯水の供給設備に設備変更しているのである。
【００１５】
給湯中継管５を示す図２において、図中の１０は中継管本体で、給湯管６を壁面１に沿わせて接続するための湯流入口１１と、湯水混合栓７の湯導入口部９に対する湯流出口１２、及び、これら両口１１，１２にわたるＬ字状の流路１３を備えており、かつ、湯流出口１２には、湯導入口部９に接続される袋ナット１４の吊り具１５が接着保持されている。
【００１６】
１６は逆止弁機構で、中継管本体１０に対してＬ字状流路１３の屈曲部に弁座１７を連設すると共に、この弁座１７に相対峙させて中継管本体１０に開口１８を形成し、かつ、スピンドル１９を螺合した逆止本体２０を前記開口１８に螺着している。
【００１７】
そして、前記弁座１７の流路を開閉するための弁体２１に備えた弁棒２２を、前記スピンドル１９にスライド可能に保持させる一方、前記弁体２１を弁座１７側に付勢させるスプリング２３を、弁体受け座２４と逆止本体２０との間に設けて成る。
【００１８】
次に、給湯中継管５の壁面１への固定装置４について説明する。この固定装置４は、給湯中継管５を壁表面側に固定するためのものであって、図３にも示すように、壁面１側に向けて中継管本体１０に、軽量化のために円筒状と成した円形部材２５を連設すると共に、壁面１に例えばビス２６によって固定される固定部材２７には、前記円形部材２５をほゞ密に嵌入するための筒状部材２８を連設し、かつ、この筒状部材２８の外周面に雄ねじ部２９を形成している。
【００１９】
そして、前記雄ねじ部２９に螺着される袋ナット３０を、前記筒状部材２８に円形部材２５を嵌入させる前に、予め円形部材２５に保持させて、この袋ナット３０と筒状部材２８の端部との間に、リングの一部を切断した金属製の縮径可能な割りリング（図４を参照）３１を配置するようにしている。
【００２０】
ここで、前記筒状部材２８の中継管本体１０側の端面Ｓ１を、壁面１とほゞ平行になるように平坦面に形成すると共に、袋ナット３０については、筒状部材２８の端面Ｓ１に相対峙する面部を、筒状部材２８側ほど大径になるテーパー面部Ｓ２に形成し、一方、割りリング３１については、これを端面Ｓ１とテーパー面部Ｓ２とに面接触させるように、平坦面Ｓ３とテーパー面部Ｓ４とを形成すると共に、内周面には環状溝３２を形成して、円形部材２５の外周面に対する突部３３，３３の接触面積を小と成している。
【００２１】
上記構成の固定装置４によれば、固定部材２７をビス２６によって壁面１に固定した上で、この固定部材２７の筒状部材２８に中継管本体１０の円形部材２５を差し込み、かつ、袋ナット３０を締め込むことで、テーパー面部Ｓ２，Ｓ４間で生じる楔作用により割りリング３１が縮径され、これによって、中継管本体１０の円形部材２５が固定部材２７の筒状部材２８に強固に一体化されることになる。
【００２２】
即ち、袋ナット３０の単なる締め込み操作によって、中継管本体１０を固定部材２７に対して無段の差し込み位置で強固に固定できるのであって、従って、ビス２６を左右均等に位置付けて、固定部材２７を見栄え良く壁面１に固定した上で、筒状部材２８に円形部材２５を差し込み、かつ、中継管本体１０と偏心管３とに湯水混合栓７を接続して、袋ナット３０を締め込む簡易な一回のセット作業によって、湯水混合栓７を壁面１に正しく平行に見栄えよく施工することが、容易に可能となる。
【００２３】
特に、割りリング３１の内周面に環状溝３２を形成して、円形部材２５の外周面に対する突部３３，３３の接触面積を小と成し、その接触面部間での面圧を大にしているので、円形部材２５と筒状部材２８との強固な一体化にとって好適であるが、環状溝３２を形成することは必須の要件ではない。
【００２４】
即ち、割りリング３１の断面形状は不問であって、例えば図５に示すように、割りリング３１を断面円形にしたものや、図６に示すように、割りリング３１をほゞ正四角形にして、テーパー面部Ｓ４を形成したもの等に変更可能であり、中でも断面円形の割りリング３１では、面圧が更に大になることから、円形部材２５と筒状部材２８との強固な一体化にとって好適である。
【００２５】
また、実施の形態では、割りリング３１を縮径させるためのテーパー面部Ｓ２を袋ナット３０側に形成しているが、図７に示すように、中継管本体１０の端面を中継管本体１０側ほど大径になるテーパー面部Ｓ１に形成して、袋ナット３０の締め込みによって割りリング３１を縮径させるようにしてもよく、或いは、図示を省略するが、中継管本体１０の端面と袋ナット３０の両者にテーパー面部を形成して、袋ナット３０の締め込みによって割りリング３１を縮径させるように構成してもよいのである。
【００２６】
尚、図５〜図７において、図２及び図３に示すものと同じ構成部材あるいは機能的に同じ構成部材に同符号を付して、重複の説明を避けることにする。
【００２７】
【発明の効果】
以上説明したように、本発明による給湯中継管の固定装置によれば、簡単な袋ナットの締め込み作業によって、中継管本体を無段階に位置調整可能に固定できることから、例えば固定部材を止めビスによって見栄えよく固定した上で、この固定部材の筒状部材に中継管本体の円形部材を差し込み、かつ、この中継管本体と偏心管とに湯水混合栓を接続して、湯水混合栓を壁面に正しく平行に位置調整した上で、袋ナットを締め込む僅か一回のセット作業によって、湯水混合栓を見栄えよく壁面に取り付けることができる。
【００２８】
即ち、本発明によれば、湯水混合栓を壁面に対して正しく平行にセットするための微調整を含めて、湯水混合栓のセット作業が容易に可能な給湯中継管の固定装置が提供されるのである。
【図面の簡単な説明】
【図１】給湯中継管の一部を破断して示す湯水供給設備の平面図である。
【図２】給湯中継管の断面図である。
【図３】給湯中継管の固定装置を示す詳細断面図である。
【図４】割りリングの側面図である。
【図５】断面が円形の割りリングに置き換えた固定装置の断面図である。
【図６】断面がほゞ正四角形の割りリングに置き換えた固定装置の断面図である。
【図７】割りリング縮径用のテーパー面部を筒状部材側に形成した別の実施の形態による固定装置の詳細断面図である。
【図８】従来例の固定装置の断面図である。
【符号の説明】
１…壁面、４…固定装置、５…給湯中継管、６…給湯管、７…湯水混合栓、１０…中継管本体、２５…円形部材、２７…固定部材、２８…筒状部材、２９…雄ねじ部、３０…袋ナット、３１…金属製の割りリング、Ｓ１，Ｓ２…テーパー面部。
【図１】
0004157233.tif 000002
【図２】
0004157233.tif 000003
【図３】
0004157233.tif 000004
【図４】
0004157233.tif 000005
【図５】
0004157233.tif 000006
【図６】
0004157233.tif 000007
【図７】
0004157233.tif 000008
【図８】
0004157233.tif 000009